(57)【要約】      （修正有）【課題】鼻緒の着脱作業を行う者の手が汚れず、着脱手段の耐久性を高め、着脱作業を容易且つ円滑に行う。【解決手段】足を載置するための基台２と、基台上に前記足を固定するための鼻緒３と、鼻緒を基台２に対して着脱可能な着脱手段４ａ，４ｂ，４ｃとを備えた履物１であって、着脱手段は、上方から鼻緒の端部９ａ，９ｂ，９ｃを挿入可能な収容凹部１０ａ，１０ｂ，１０ｃと、収容凹部の内部において鼻緒の端部を固定可能な固定具１１ａ，１１ｂ，１１ｃとを備えていることを特徴とする。【選択図】図３
0003130808.tif 000002
【実用新案登録請求の範囲】
【請求項１】
足を載置するための基台と、該基台上に前記足を固定するための鼻緒と、該鼻緒を前記基台に対して着脱可能な着脱手段とを備えた履物であって、
前記着脱手段は、上方から前記鼻緒の端部を挿入可能な収容凹部と、該収容凹部の内部において前記鼻緒の端部を固定可能な固定具とを備えていることを特徴とする履物。
【請求項２】
前記着脱手段の固定具は、前記収容凹部に対して略水平方向に進退し、前記鼻緒の端部を押圧可能なように設けられている請求項１に記載の履物。
【請求項３】
前記着脱手段の固定具は、前記収容凹部から前記基台の側面に至る通孔内に設けられ、前記基台の側方から操作可能となっている請求項２に記載の履物。
【請求項４】
前記着脱手段の固定具は、前記収容凹部への進入方向に付勢されていると共に、前記鼻緒の端部の前記収容凹部への挿入に伴って前記収容凹部から退出方向に移動するように構成されている請求項２に記載の履物。
【考案の詳細な説明】
【技術分野】
【０００１】
本考案は、鼻緒を備えた履物に関し、特に、鼻緒が着脱可能に設けられた履物に関するものである。
【背景技術】
【０００２】
従来、草履や下駄、雪駄等の履物には、基台に鼻緒が取り付けられており、この鼻緒により基台上に使用者の足を固定するようになっている。この鼻緒は、磨耗や損傷等により交換の必要が生じたり、或いは、使用者の足に合わせて長さを調整する必要が生じたりした時に基台に対して着脱されるが、この鼻緒の着脱作業は、専門的な技術を必要とするため、熟練者の手に委ねるのが通常であり、専門的な技術を有しない使用者自らが鼻緒の着脱作業を行うことはほとんど不可能であった。
【０００３】
そこで、履物の使用者自身がこの鼻緒の着脱作業を容易に実施できるようにするため、基台の裏側に鼻緒の端部を固定する固定金具を配設することにより基台に対して鼻緒を着脱可能な構成とした履物が提案されている（例えば、特許文献１参照）。
【特許文献１】実用新案登録第３１０９２６８号公報
【考案の開示】
【考案が解決しようとする課題】
【０００４】
しかしながら、上記した特許文献１に開示された履物において鼻緒の着脱作業を行う場合には、基台の裏側に配設された固定金具を操作する必要があるため、作業者の手が汚れるといった問題があった。
【０００５】
また、履物を使用する際、基台の裏面は常に地面に接触し、固定金具や該固定金具を覆う舌片等が磨耗或いは損傷し易くなるため、鼻緒の着脱作業時に固定金具が本来の機能を発揮しなくなり、着脱作業を円滑に行うことができなくなるおそれもあった。
【０００６】
本考案は、上記した課題を解決すべくなされたものであり、鼻緒の着脱作業を行う者の手が汚れず、着脱手段の耐久性を高め、着脱作業を容易且つ円滑に行うことのできる履物を提供することを目的とするものである。
【課題を解決するための手段】
【０００７】
上記した目的を達成するため、本考案は、足を載置するための基台と、該基台上に前記足を固定するための鼻緒と、該鼻緒を前記基台に対して着脱可能な着脱手段とを備えた履物であって、前記着脱手段は、上方から前記鼻緒の端部を挿入可能な収容凹部と、該収容凹部の内部において前記鼻緒の端部を固定可能な固定具とを備えていることを特徴とする。
【０００８】
そして、前記着脱手段の固定具は、前記収容凹部に対して略水平方向に進退し、前記鼻緒の端部を押圧可能なように設けられていてもよい。
【０００９】
また、前記着脱手段の固定具は、前記収容凹部から前記基台の側面に至る通孔内に設けられ、前記基台の側方から操作可能となっていてもよい。
【００１０】
さらに、前記着脱手段の固定具は、前記収容凹部への進入方向に付勢されていると共に、前記鼻緒の端部の前記収容凹部への挿入に伴って前記収容凹部から退出方向に移動するように構成されていてもよい。
【考案の効果】
【００１１】
本考案では、上方から鼻緒の端部を挿入可能な収容凹部の内部において固定具によって鼻緒の着脱を行うようになっているため、鼻緒の着脱作業時に、履物の裏面側に作業者の手が触れて汚れることがなく、着脱作業を容易且つ円滑に行うことができる。
【００１２】
また、履物を使用する際、着脱手段が地面に接触することにより磨耗或いは損傷するおそれがないため、着脱手段の耐久性を高めることができる。
【考案を実施するための最良の形態】
【００１３】
以下、図面を参照しつつ、本考案の実施の形態について説明する。なお、以下の説明では、本発明を和装用の草履に適用した場合について例示して説明する。
【００１４】
先ず、図１〜図３を参照しつつ、本考案の第１の実施の形態に係る履物について説明する。ここで、図１は本考案の第１の実施の形態に係る履物を示す斜視図、図２は同履物を裏面側から示す斜視図、図３は同履物を示す分解斜視図である。
【００１５】
本実施の形態に係る履物１は、使用者の足を載置するための基台２と、基台２上に足を固定するための鼻緒３と、鼻緒３を基台２に対して着脱可能な着脱手段としての固定金具４ａ，４ｂ，４ｃとを備えて構成されている。
【００１６】
基台２は、木材や厚紙等から成る芯材の周囲を布や皮又は樹脂材料によって覆うことにより形成されており、基台２の上面５には、前部と左右後部の３箇所に鼻緒挿入用の孔（図示省略）が穿設されている。また、該各孔の下方の基台２の内部には、それぞれ、固定金具嵌合部６ａ，６ｂ，６ｃが形成されており、基台２の内部には、この固定金具嵌合部６ａ，６ｂ，６ｃから基台２の側面７に至るように細長円筒形状の通孔（図示省略）が形成され、この通孔の外側はキャップ８により閉塞されている。なお、このキャップ８は後述する固定具１１ａ，１１ｂ，１１ｃの頭部に一体化されていてもよい。
【００１７】
鼻緒３は、Ｖ字状を成し、芯材を布や皮又は樹脂材料によって覆うことにより形成されており、前部と左右後部の端部９ａ，９ｂ，９ｃはそれぞれ下方に延出するように形成されている。なお、鼻緒３は、既存のものの長さを調整する場合等、既存のものを利用することもできる。
【００１８】
固定金具４ａ，４ｂ，４ｃは、それぞれ固定金具嵌合部６ａ，６ｂ，６ｃに嵌合することにより基台２に固定され、履物１の底板と相俟って内部に収容凹部１０ａ，１０ｂ，１０ｃを形成する円筒形状のケース部１２ａ，１２ｂ，１２ｃと、収容凹部１０ａ，１０ｂ，１０ｃの内部において鼻緒３の端部９ａ，９ｂ，９ｃを固定可能な固定具１１ａ，１１ｂ，１１ｃとを備えており、収容凹部１０ａ，１０ｂ，１０ｃには上方から鼻緒３の端部９ａ，９ｂ，９ｃが挿入可能となっている。
【００１９】
ケース部１２ａ，１２ｂ，１２ｃの側壁部には、螺子から成る固定具１１ａ，１１ｂ，１１ｃが螺合可能となっており、この固定具１１ａ，１１ｂ，１１ｃは、前記通孔に遊貫し、収容凹部１０ａ，１０ｂ，１０ｃに対して略水平方向に進退可能となっている。
【００２０】
このような構成を備えた履物１において、鼻緒３を基台２に取り付ける場合、先ず、鼻緒３の端部９ａ，９ｂ，９ｃをそれぞれ上方から収容凹部１０ａ，１０ｂ，１０ｃに挿入し、収容させる。その後、前記通孔のキャップ８を取り外し、ドライバを使用して固定具１１ａ，１１ｂ，１１ｃを正回転させ、収容凹部１０ａ，１０ｂ，１０ｃへの進入方向に移動させる。これにより、鼻緒３の端部９ａ，９ｂ，９ｃは、固定具１１ａ，１１ｂ，１１ｃの先端に押圧され、該固定具１１ａ，１１ｂ，１１ｃとケース部１２ａ，１２ｂ，１２ｃの内面との間にそれぞれ挟持された状態となり、収容凹部１０ａ，１０ｂ，１０ｃ内に固定される。
【００２１】
一方、鼻緒３を基台２から取り外すには、上記した手順と逆の手順で、固定具１１ａ，１１ｂ，１１ｃを逆回転させて収容凹部１０ａ，１０ｂ，１０ｃから退出する方向に移動させ、固定具１１ａ，１１ｂ，１１ｃの先端とケース部１２ａ，１２ｂ，１２ｃの内面とによる鼻緒３の端部９ａ，９ｂ，９ｃの挟持状態を解除した上で、鼻緒３を上方に引き抜くことにより行う。
【００２２】
次に、図４〜図６を参照しつつ、本考案の第２の実施の形態に係る履物について説明する。ここで、図４は本考案の第２の実施の形態に係る履物を示す斜視図、図５は同履物を示す分解斜視図、図６は同履物の固定手段を示す断面図である。
【００２３】
本実施の形態に係る履物２１は、使用者の足を載置するための基台２２と、基台２２上に足を固定するための鼻緒２３と、鼻緒２３を基台２２に対して着脱可能な着脱手段としての固定金具２４ａ，２４ｂ，２４ｃとを備えて構成されている。
【００２４】
基台２２は、木材や厚紙等から成る芯材の周囲を布や皮又は樹脂材料によって覆うことにより形成されており、基台２２の上面２５には、前部と左右後部の３箇所に鼻緒挿入用の孔（図示省略）が穿設されている。また、該各孔の下方の基台２２の内部には、それぞれ、基台２２の側面２７に至るように固定金具嵌合部２６ａ，２６ｂ，２６ｃが形成されており、この固定金具嵌合部２６ａ，２６ｂ，２６ｃの外側はキャップ２８により閉塞されている。なお、このキャップ２８は後述する固定金具２４ａ，２４ｂ，２４ｃの外側面に兼用させてもよい。
【００２５】
鼻緒２３は、Ｖ字状を成し、芯材を布や皮又は樹脂材料によって覆うことにより形成されており、前部と左右後部の端部２９ａ，２９ｂ，２９ｃはそれぞれ下方に延出するように形成されている。
【００２６】
固定金具２４ａ，２４ｂ，２４ｃは、それぞれ固定金具嵌合部２６ａ，２６ｂ，２６ｃに嵌合することにより基台２２に固定され、内部に収容凹部３０ａ，３０ｂ，３０ｃが形成された上面に開口部を有する箱状のケース部３１ａ，３１ｂ，３１ｃと、ケース部３１ａ，３１ｂ，３１ｃの内部に収容されて鼻緒３の端部２９ａ，２９ｂ，２９ｃを固定可能な固定具３２ａ，３２ｂ，３２ｃとを備えており、収容凹部３０ａ，３０ｂ，３０ｃには上方から鼻緒３の端部２９ａ，２９ｂ，２９ｃが挿入可能となっている。なお、固定金具２４ａ，２４ｂ，２４ｃは下面が開放されていてもよく、その場合、収容凹部３０ａ，３０ｂ，３０ｃは履物１の底板と相俟って形成される。
【００２７】
固定具３２ａ（３２ｂ，３２ｃも同様）は、円柱状の軸部３３ａと、軸部３３ａとケース部３１ａの一方の内端面３４ａとの間に介装されて軸部３３ａを収容凹部３０ａへの進入方向に付勢するバネ部３５ａとから構成されており、軸部３３ａは収容凹部３０ａに対して略水平方向に進退可能となっている。また、の先端面３６ａ及び該先端面３６ａに対向するケース部３１ａの他方の内端面３７ａには、複数の三角刃形状の掛止部３８ａがそれぞれ突設されており、この掛止部３８ａは、鼻緒３の端部２９ａ，２９ｂ，２９ｃを誘い込み易いように、下方に湾曲して形成されている。さらにまた、軸部３３ａの頂部には摘み部３９ａが突設され、摘み部３９ａは基台２の上面５の使用者の足に当らない位置に突出するようになっている。なお、この摘み部３９ａの代わりに、軸部３３ａから基台２の側面７に至るように水平に操作軸（図示省略）を設け、該操作軸を押圧することにより、軸部３３ａが収容凹部３０ａ，３０ｂ，３０ｃから退出する方向に移動するように構成してもよい。
【００２８】
このような構成を備えた履物２１において、鼻緒２３を基台２２に取り付ける場合、鼻緒２３の端部２９ａ，２９ｂ，２９ｃをそれぞれ上方から収容凹部３０ａ，３０ｂ，３０ｃに挿入すると、この鼻緒２３の端部２９ａ，２９ｂ，２９ｃの挿入動作に伴い、軸部３３ａ，３３ｂ，３３ｃは、掛止部３８ａ，３８ｂ，３８ｃが下方に湾曲した形状を成しているため、バネ３５ａの付勢力に抗して、収容凹部３０ａ，３０ｂ，３０ｃから退出する方向に移動する。そして、鼻緒２３の端部２９ａ，２９ｂ，２９ｃは、固定具３２ａ，３２ｂ，３２ｃの先端の掛止部３８ａ，３８ｂ，３８ｃに押圧され、該掛止部３８ａ，３８ｂ，３８ｃが掛止することにより、それぞれ収容凹部３０ａ，３０ｂ，３０ｃに収容、固定される。
【００２９】
一方、鼻緒２３を基台２２から取り外すには、摘み部３９ａ，３９ｂ，３９ｃを、バネ３５ａの付勢力に抗して、収容凹部３０ａ，３０ｂ，３０ｃから退出する方向に移動させ、鼻緒２３の端部２９ａ，２９ｂ，２９ｃと掛止部３８ａ，３８ｂ，３８ｃとの掛止状態を解除させ、鼻緒２３を上方に引き抜くことにより行う。
【００３０】
なお、上記した第１及び第２の実施の形態において、着脱手段として、固定金具４ａ，４ｂ，４ｃ、２４ａ，２４ｂ，２４ｃについて説明したが、これは単なる例示に過ぎず、着脱手段は、着脱作業時に履物の側方又は上方から操作可能であれば、他の構造や形状を成していてもよい。
【００３１】
また、本発明は、上記した和装用の草履に限らず、他の草履や下駄、雪駄等の履物全般に適用可能であることは言う迄もない。
【図面の簡単な説明】
【００３２】
【図１】本考案の第１の実施の形態に係る履物を示す斜視図である。
【図２】本考案の第１の実施の形態に係る履物を裏面側から示す斜視図である。
【図３】本考案の第１の実施の形態に係る履物を示す分解斜視図である。
【図４】本考案の第２の実施の形態に係る履物を示す斜視図である。
【図５】本考案の第２の実施の形態に係る履物を示す分解斜視図である。
【図６】本考案の第２の実施の形態に係る履物の固定手段を示す断面図である。
【符号の説明】
【００３３】
１          履物
２          基台
３          鼻緒
４ａ        固定金具（着脱手段）
４ｂ        固定金具（着脱手段）
４ｃ        固定金具（着脱手段）
９ａ        端部
９ｂ        端部
９ｃ        端部
１０ａ      収容凹部
１０ｂ      収容凹部
１０ｃ      収容凹部
１１ａ      固定具
１１ｂ      固定具
１１ｃ      固定具
２１        履物
２２        基台
２３        鼻緒
２４ａ      固定金具（着脱手段）
２４ｂ      固定金具（着脱手段）
２４ｃ      固定金具（着脱手段）
２９ａ      端部
２９ｂ      端部
２９ｃ      端部
３０ａ      収容凹部
３０ｂ      収容凹部
３０ｃ      収容凹部
３２ａ      固定具
３２ｂ      固定具
３２ｃ      固定具
【図１】
0003130808.tif 000003
【図２】
0003130808.tif 000004
【図３】
0003130808.tif 000005
【図４】
0003130808.tif 000006
【図５】
0003130808.tif 000007
【図６】
0003130808.tif 000008